(57)【要約】【課題】ボルト、蝶ナット等の調節用部品を不要にして、雨樋の出具合を調節可能にする。【解決手段】雨樋Ｔを支持する樋支持具本体１と、この樋支持具本体１を取付面に固定するための取付体２とを備えた樋支持具において、前記取付体２は、１枚の基材を断面略ハット形に形成して、前記樋支持具本体１を固定する固定部２１と、この固定部２１の両側から前記取付面に延設される取付脚部２２と、この取付脚部２２の基端から外方に向けて更に延設される取付部２３と、より構成してなり、前記取付脚部２２の基端を外方に向けて拡開させて、前記取付面に前記取付部２３を固定し、前記雨樋Ｔの前後方向への出具合を調節可能にする。【選択図】図１
2006207284.tif 000002
【特許請求の範囲】
【請求項１】
雨樋を支持する樋支持具本体と、この樋支持具本体を取付面に固定するための取付体とを備えた樋支持具において、
前記取付体は、１枚の基材を断面略ハット形に形成して、前記樋支持具本体を固定する固定部と、この固定部の両側から前記取付面に延設される取付脚部と、この取付脚部の基端から外方に向けて更に延設される取付部と、より構成してなり、
前記取付脚部の基端を外方に向けて拡開させて、前記取付面に前記取付部を固定し、前記雨樋の前後方向への出具合を調節可能にしたことを特徴とする樋支持具。
【請求項２】
請求項１において、
取付脚部の中間部には、前後方向に補強部を形成したことを特徴とする樋支持具。
【請求項３】
請求項１又は２の何れかにおいて、
樋支持具本体が、竪樋を支持する竪樋支持具本体よりなることを特徴とする樋支持具。
【請求項４】
請求項１又は２の何れかにおいて、
樋支持具本体が、軒樋を支持する軒樋支持具本体よりなることを特徴とする樋支持具。
【発明の詳細な説明】
【技術分野】
【０００１】
本発明は、雨樋を支持する樋支持具本体と、この樋支持具本体を取付面に固定するための取付体とを備えた樋支持具に関するものである。
【背景技術】
【０００２】
従来の樋支持具は、雨樋を支持する樋支持具本体と、この樋支持具本体を壁面等の取付面に固定するための取付体とを備え、この樋支持具本体の前後位置を調節することで、前記雨樋の出具合を調節可能にしている。
【０００３】
具体的には、前記樋支持具本体の後方に向けて延設片を延設し、この延設片には軸穴を開設する。
【０００４】
一方、前記取付体の前方に向けて取付片を延設し、この取付片には、前記軸穴に重合する長孔を開設する。
【０００５】
そして、これら軸孔及び長孔の上方からボルト等を貫通すると共に、前記雨樋を取付けた樋支持具本体を長孔に沿って前後方向に移動して、雨樋の出具合を調節し、その出具合の位置が決まったところで、前記ボルト等の下端から蝶ナット等を螺合すれば、前記樋支持具本体及び取付体が連結して固定され、前記雨樋の出具合を所望位置に固定できるのである（例えば、特許文献１参照。）。
【特許文献１】特開２０００−３２００９７号公報
【発明の開示】
【発明が解決しようとする課題】
【０００６】
しかしながら、従来の樋支持具では、雨樋の出具合を調節するために、例えば、ボルトや蝶ナット等の調節用部品が必要であるうえ、軸穴及び長孔などの加工作業をも要するため、製造が複雑であると共に、高コストであるという問題があった。
【０００７】
本発明は、かかる課題を解決することを目的とするもので、ボルト、蝶ナット等の調節用部品を不要にして雨樋の出具合を調節可能にした簡易な構造の樋支持具を提供するものである。
【課題を解決するための手段】
【０００８】
上記目的を達成するため、
請求項１に係る樋支持具は、雨樋を支持する樋支持具本体と、この樋支持具本体を取付面に固定するための取付体とを備えた樋支持具において、前記取付体は、１枚の基材を断面略ハット形に形成して、前記樋支持具本体を固定する固定部と、この固定部の両側から前記取付面に延設される取付脚部と、この取付脚部の基端から外方に向けて更に延設される取付部と、より構成してなり、前記取付脚部の基端を外方に向けて拡開させて、前記取付面に前記取付部を固定し、前記雨樋の前後方向への出具合を調節可能にしたことを特徴とする。
【０００９】
請求項２に係る樋支持具は、請求項１において、取付脚部の中間部には、前後方向に補強部を形成したことを特徴とする。
【００１０】
請求項３に係る樋支持具は、請求項１又は２の何れかにおいて、樋支持具本体が、竪樋を支持する竪樋支持具本体よりなることを特徴とする。
【００１１】
請求項４に係る樋支持具は、請求項１又は２の何れかにおいて、樋支持具本体が、軒樋を支持する軒樋支持具本体よりなることを特徴とする。
【発明の効果】
【００１２】
本発明によれば、次のような効果がある。
請求項１に係る樋支持具によれば、１枚の基材を断面略ハット形に形成してなる取付体の取付脚部の基端を外方に向けて拡開させるだけで、雨樋の出具合を調節可能な構造にしているため、ボルト、蝶ナット等の調節用部品を不要にできるうえ、樋支持具本体及び取付体も容易に製造できる。
【００１３】
請求項２に係る樋支持具によれば、取付脚部の中間部に補強部を形成しているので、取付体の取付脚部が拡開される位置を限定できると共に、取付脚部の強度を高めることができる。
【００１４】
請求項３に係る樋支持具によれば、請求項１又は２の効果を、竪樋を支持する竪樋支持具本体として発揮することができる。
【００１５】
請求項４に係る樋支持具によれば、請求項１又は２の効果を、軒樋を支持する軒樋支持具本体として発揮することができる。
【発明を実施するための最良の形態】
【００１６】
以下、本発明に係る樋支持具を図面とともに説明する。
【実施例１】
【００１７】
図１は、本発明に係る樋支持具Ａの一実施例を示す使用状態の斜視図である。
【００１８】
この樋支持具Ａは、雨樋Ｔを支持する樋支持具本体１と、この樋支持具本体１を壁面等の取付面（不図示）に固定するための取付体２とを備えてなる。
【００１９】
ここで、本実施例では、樋支持具本体１が、竪樋Ｔ１を支持する竪樋支持具本体１’よりなるものを例示して説明する。
【００２０】
この竪樋支持具本体１’は、竪樋Ｔ１を抱持して支持する環状部材が２分割にされた本体部１１と蓋部１２とからなり、これら本体部１１と蓋部１２の一端には、蓋部１２を開閉自在にしたヒンジ部１３を設け、他端には、蓋部１２を本体部１１に係止可能な係止部１４を設けてなる。
【００２１】
なお、竪樋支持具本体１’は、竪樋Ｔ１を支持可能であれば良く、本実施例のものに限定されない。
【００２２】
このように形成された竪樋支持具本体１’の基端に、取付体２の先端をリベット等の固定具３で固定している。
【００２３】
この取付体２は、１枚の金属製帯板を基材にして、この基材を断面略ハット形に形成してなり、竪樋支持具本体１’に固定された固定部２１と、この固定部２１の両側から後方の取付面（不図示）に延設される取付脚部２２と、この取付脚部２２の基端から外方に向けて更に延設される取付部２３と、より構成している。
【００２４】
なお、２３ａは、取付体２を取付面（不図示）にネジ、釘等で固定するために設けた取付用孔である。
【００２５】
以上のように構成した本発明の樋支持具Ａは、以下の要領で施工する。
【００２６】
図２は、本発明に係る樋支持具Ａの施工要領を示す概略図であり、図２（ａ）は、竪樋が取付面から最も突出して取り付けられた場合を示す取付状態図を示し、図２（ｂ）は、竪樋が図２（ａ）の状態よりも取付面側に取付けられた場合の一例を示す取付状態図である。
【００２７】
先ず、取付体２の一方の取付部２３を、取付面（不図示）にネジ、釘等で固定する。
【００２８】
そして、竪樋Ｔ１の出具合を固定部２１付近を基準に調節し、竪樋Ｔ１を竪樋支持具本体１’に抱持して支持させる。
【００２９】
ここで、図２（ａ）で示すように、竪樋Ｔ１が最も突出した位置の出具合で良ければ、そのまま、他方の取付部２３を、前記同様にして、取付面（不図示）にネジ、釘等で固定すれば簡単に施工できる。
【００３０】
また、竪樋Ｔ１を取付面（不図示）側に近づけたい場合には、竪樋支持具本体１’を取付面（不図示）側に押圧或いは、取付体２の取付脚部２の基端が外方に向けて手動で拡開すれば、竪樋Ｔ１が取付面（不図示）側に近づけられる。
【００３１】
そして、竪樋Ｔ１が所望の出具合の位置になったとき、他方の取付部２３を、前記同様にして、ネジ、釘等で取付面（不図示）に固定し、竪樋Ｔ１を竪樋支持具本体１’に抱持して支持すれば、竪樋Ｔ１の前後方向への出具合を簡単に調節できるのである。
【００３２】
このように、本発明の樋支持具Ａによれば、取付脚部２２の基端を外方に向けて拡開させるだけで、竪樋Ｔ１の出具合を調節可能な構造にしているため、従来のようなボルト、蝶ナット等の調節用部品を不要にできるうえ、竪樋支持具本体１及び取付体２も容易に製造できる。
【００３３】
なお、図１及び図２では、竪樋Ｔ１が、取付体２の２つの取付部２３、２３と平行な同方向に取付けた場合を示しているが、竪樋Ｔ１を例えば９０°回転した状態で取付ける場合には、竪樋支持具本体１’と取付体２とを９０°回転した方向で固定しておけば、上記同様の効果を得ることができる。
【００３４】
図３は、本発明の取付体の他の実施例を示した三面図であり、図３（ａ）は、取付体の平面図、図３（ｂ）は、取付体の正面図、図３（ｃ）は、取付体の側面図を各々示している。
【００３５】
なお、図１、図２と共通する部位には、共通の符号を示して、その説明は省略し、本実施例の特徴についてのみ説明する。
【００３６】
この取付体２は、取付脚部２２の中間部に、前後方向に補強部２４を形成したことに特徴がある。
【００３７】
ここで、中間部とは、取付脚部２２と固定部２１との連設部分、及び、取付脚部２２と取付部２３、２３との連設部分を除いた位置を意味している。
【００３８】
また、補強部２４には、図例のようなリブを形成する他、ビート、折り曲げ、フランジ等を採用することもできる。
【００３９】
このように、取付脚部２２の中間部に補強部２４を形成すれば、取付脚部２２の強度を高めることができることは勿論、補強部２４を形成した部位の取付脚部２２と、補強部２４を形成しない部位の取付脚部２２との強度差を生じさせることで、補強部２４を形成しない部位において取付脚部２２が拡開されるため、取付脚部２２の拡開する位置を所望の位置に特定することができる。
【００４０】
また、図４は、本発明の樋支持具Ａにおける樋支持具本体１が、軒樋Ｔ２を支持する軒樋支持具本体Ｔ２よりなるものを例示した概略図であり、図４（ａ）は、軒樋支持具本体Ｔ２が、軒樋Ｔ２を受け支持する受式の樋支持具Ａを示し、図４（ｂ）は、軒樋支持具本体Ｔ２が、軒樋Ｔ２を吊下げて支持する吊り式の樋支持具Ａを各々示したものであり、これら受け式、吊り式の樋支持具Ａであっても、上記同様の効果を得ることができる。
【図面の簡単な説明】
【００４１】
【図１】本発明に係る樋支持具Ａの一実施例を示す使用状態の斜視図である。
【図２】本発明に係る樋支持具Ａの施工要領を示す概略図であり、図２（ａ）は、竪樋が取付面から最も突出して取り付けられた場合を示す取付状態図を示し、図２（ｂ）は、竪樋が図２（ａ）の状態よりも取付面側に取付けられた場合の一例を示す取付状態図である。
【図３】本発明の取付体の他の実施例を示す三面図であり、図３（ａ）は、取付体の平面図、図３（ｂ）は、取付体の正面図、図３（ｃ）は、取付体の側面図である。
【図４】樋支持具の他の実施例を示した概略図であり、図４（ａ）は、軒樋支持具本体Ｔ２が、軒樋Ｔ２を受け支持する受式の樋支持具Ａを示し、図４（ｂ）は、軒樋支持具本体Ｔ２が、軒樋Ｔ２を吊下げて支持する吊り式の樋支持具Ａを各々示した概略図である。
【符号の説明】
【００４２】
Ａ      樋支持具
Ｔ      雨樋
Ｔ１    竪樋
Ｔ２    軒樋
１      樋支持具本体
１’    竪樋支持具本体
２      取付体
２１    固定部
２２    取付脚部
２３    取付部
２４    補強部
【図１】
2006207284.tif 000003
【図２】
2006207284.tif 000004
【図３】
2006207284.tif 000005
【図４】
2006207284.tif 000006